(57)【要約】【課題】的確な判定領域を設定する。【解決手段】平面上の変化が線形関係にあるＬＣ，ＲＣの測定値によって特定されるポイントＰを平面上にプロットしたときに、ポイントＰが平面上の判定領域Ｆｊ内に属しているか否かによって測定対象の良否を判定する際の判定領域Ｆｊを設定する処理部を備え、処理部は、複数回実行した測定処理毎に得られたＬＣ，ＲＣの測定値によって特定される各ポイントＰを平面上にプロットして重心Ｃを求め、重心Ｃから最も遠いポイントＰ１と重心Ｃとの直線距離Ｌ１および重心ＣとポイントＰ１とを通る直線Ａを求め、直線Ａに直交する方向に沿って直線Ａから最も遠いポイントＰ２と直線Ａとの直線距離Ｌ２を求め、直線Ａに平行で直線距離Ｌ１の２倍の長さの２つの辺Ｓ１と各辺Ｓ１に対して直角をなして直線距離Ｌ２の２倍の長さの２つの辺Ｓ２とで構成されて重心Ｃを図心とする矩形の領域を判定領域Ｆｊとして設定する。【選択図】図７
2018021839.tif 000002
【特許請求の範囲】
【請求項１】
測定対象についての２つのパラメータを横軸および縦軸とする平面上における当該両パラメータの変化が線形関係にある当該両パラメータの測定値によって特定されるポイントを当該平面上にプロットしたときに、前記ポイントが前記平面上の判定領域内に属しているか否かによって前記測定対象の良否を判定する際の当該判定領域を設定する処理を実行する処理部を備え、
前記処理部は、前記２つのパラメータを測定する測定処理を複数回実行して当該測定処理毎に得られた当該２つのパラメータの測定値によって特定される当該測定処理毎の前記ポイントを前記平面上にプロットして当該各ポイントをそれぞれ質量が互いに等しい質点としたときの当該各質点で構成される質点系の重心を求め、前記各ポイントのうちの前記重心から最も遠い第１のポイントと当該重心との間の第１の直線距離および当該重心と当該第１のポイントとを通る第１直線を求め、前記各ポイントのうちの前記第１直線に直交する直交方向に沿って当該第１直線から最も遠い第２のポイントと当該第１直線との間の第２の直線距離を求め、前記第１直線に平行で前記第１の直線距離の２倍の長さの２つの第１辺と当該各第１辺に対して直角をなして前記第２の直線距離の２倍の長さの２つの第２辺とで構成されて前記重心を図心とする前記平面上の矩形の領域を前記判定領域として設定する処理装置。
【請求項２】
前記処理部は、前記長方形の領域の周囲に枠状の領域を加えた領域を前記判定領域として設定する請求項１記載の処理装置。
【請求項３】
請求項１または２記載の処理装置と、前記測定処理を実行する測定部と、前記測定対象について測定された前記２つのパラメータの測定値によって特定される前記ポイントが前記処理装置によって設定された前記判定領域内に属しているか否かによって当該測定対象の良否を判定する判定部とを備えている測定装置。
【発明の詳細な説明】
【技術分野】
【０００１】
本発明は、測定対象の良否を判定する際の判定領域を設定する処理を実行する処理装置、およびその処理装置を備えた測定装置に関するものである。
【背景技術】
【０００２】
この種の測定装置として、下記特許文献１において出願人が開示したＬＣＲテスタが知られている。このＬＣＲテスタは、外部信号源から出力された測定用交流電圧を被測定試料の両端間に供給しつつ、この試料を流れる交流電流の電流値と、試料の両端間電圧の電圧値とを測定し、各測定値を用いた演算処理によって測定対象（試料）のインダクタンス（以下「Ｌ」ともいう）、キャパシタンス（以下「Ｃ」ともいう）およびレジスタンス（以下「Ｒ」ともいう）等のパラメータを測定可能に構成されている。
【０００３】
また、出願人は、測定対象の良否を判定する際に用いる判定領域を、２つのパラメータを横軸（Ｘ軸）および縦軸（Ｙ軸）とする平面（ＸＹ平面）上に設定し、各測定値によって特定されるポイント（座標）がその判定領域内に属しているか否かによって測定対象の良否を判定する機能を有する測定装置を開発している。この測定装置において、判定領域を設定する際には、良品の測定対象について複数回測定した２つのパラメータの各測定値によって特定される各ポイントをＸＹ平面上にプロットし、各ポイントを全て包含する長方形（または正方形）の領域を判定領域としてＸＹ平面上に設定する。
【先行技術文献】
【特許文献】
【０００４】
【特許文献１】実開平６−３０７７９号公報（第１５−１９頁、第１−５図）
【発明の概要】
【発明が解決しようとする課題】
【０００５】
ところが、上記した判定領域を設定する機能を有する従来の測定装置には、改善すべき以下の課題がある。すなわち、従来の測定装置では、ＸＹ平面上にプロットした複数のポイントの全てを包含する長方形の領域を判定領域としてＸＹ平面上に設定している。ここで、例えば、測定対象としてのモータの巻線を対象としてＬＣ（ＬとＣとの乗算値）およびＲＣ（ＲとＣとの乗算値）を測定し、ＬＣをＸ軸としＲＣをＹ軸とするＸＹ平面上に、ＬＣの測定値とＲＣの測定値とによって特定される（ＬＣをＸ座標、ＲＣをＹ座標とする）複数のポイントをプロットした場合、巻線が良品のときには、図１０に示すように、各ポイントＰが、ＸＹ平面の１つの直線Ｏに沿ってプロットされる。つまり、ＬＣ，ＲＣの変化は、ＸＹ平面において線形関係にある。したがって、測定対象の巻線についてのポイントＰがこの直線Ｏに近接しているときには、その巻線が良品であると判定することができ、ポイントＰがこの直線Ｏから大きく離間しているときには、その巻線が不良であると判定することができる。しかしながら、従来の測定装置では、上記したようにＸＹ平面上にプロットした各ポイントＰの全てを包含する長方形（または正方形）の領域を判定領域Ｔ１として設定するため、同図に示すように、各ポイントＰが直線Ｏに沿って長い範囲に分布しているときには、直線Ｏから大きく離間している部分（同図における左上の部分および右下の部分）も判定領域Ｔ１に含まれることとなる。このため、直線Ｏから大きく離間しているポイントＰが判定領域Ｔ１内に属することがあり、この結果、不良と判定されるべき巻線が良品と判定されるおそれがある。また、このような誤った判定を回避するために、同図に示すように、判定領域Ｔ２を小さく設定したときには、直線Ｏに近接しているポイントＰが判定領域Ｔ２内に属さないこととなり、良品と判定されるべき巻線が不良と判定されるおそれがある。このように、従来の測定装置には、的確な判定領域を設定することができないことに起因して、測定対象の良否を正確に判定することが困難なことがあり、この点の改善が望まれている。
【０００６】
本発明は、かかる改善すべき課題に鑑みてなされたものであり、的確な判定領域を設定し得る処理装置および測定装置を提供することを主目的とする。
【課題を解決するための手段】
【０００７】
上記目的を達成すべく請求項１記載の処理装置は、測定対象についての２つのパラメータを横軸および縦軸とする平面上における当該両パラメータの変化が線形関係にある当該両パラメータの測定値によって特定されるポイントを当該平面上にプロットしたときに、前記ポイントが前記平面上の判定領域内に属しているか否かによって前記測定対象の良否を判定する際の当該判定領域を設定する処理を実行する処理部を備え、前記処理部は、前記２つのパラメータを測定する測定処理を複数回実行して当該測定処理毎に得られた当該２つのパラメータの測定値によって特定される当該測定処理毎の前記ポイントを前記平面上にプロットして当該各ポイントをそれぞれ質量が互いに等しい質点としたときの当該各質点で構成される質点系の重心を求め、前記各ポイントのうちの前記重心から最も遠い第１のポイントと当該重心との間の第１の直線距離および当該重心と当該第１のポイントとを通る第１直線を求め、前記各ポイントのうちの前記第１直線に直交する直交方向に沿って当該第１直線から最も遠い第２のポイントと当該第１直線との間の第２の直線距離を求め、前記第１直線に平行で前記第１の直線距離の２倍の長さの２つの第１辺と当該各第１辺に対して直角をなして前記第２の直線距離の２倍の長さの２つの第２辺とで構成されて前記重心を図心とする前記平面上の矩形の領域を前記判定領域として設定する。
【０００８】
また、請求項２記載の処理装置は、請求項１記載の処理装置において、前記処理部は、前記長方形の領域の周囲に枠状の領域を加えた領域を前記判定領域として設定する。
【０００９】
また、請求項３記載の測定装置は、請求項１または２記載の処理装置と、前記測定処理を実行する測定部と、前記測定対象について測定された前記２つのパラメータの測定値によって特定される前記ポイントが前記処理装置によって設定された前記判定領域内に属しているか否かによって当該測定対象の良否を判定する判定部とを備えている。
【発明の効果】
【００１０】
請求項１記載の処理装置、および請求項３記載の測定装置では、処理部が、複数回の測定処理で得られた２つのパラメータの測定値によって特定される各ポイントを平面上にプロットした各ポイントの重心を求め、重心から最も遠い第１のポイントと重心との間の第１の直線距離および重心と第１のポイントとを通る第１直線を求め、第１直線に直交する方向に沿って第１直線から最も遠い第２のポイントと第１直線との間の第２の直線距離を求め、第１直線に平行で第１の直線距離の２倍の長さの２つの第１辺と各第１辺に対して直角をなして第２の直線距離の２倍の長さの２つの第２辺とで構成されて重心を図心とする矩形の領域を判定領域として設定する。つまり、この処理装置および測定装置では、２つのパラメータの変化が線形関係にある場合におけるその線（直線）に沿った（直線と同様の傾斜角度で傾斜した）矩形の判定領域を、２つのパラメータの測定値に基づいて処理部が自動的に設定する。したがって、この処理装置および測定装置によれば、横軸および縦軸に対して傾斜していない矩形の領域を判定領域として設定する従来の構成とは異なり、直線から大きく離間している部分が判定領域に含まれたり、直線に近接しているポイントが判定領域内に属さなかったりするような不都合が解消されて、的確な判定領域を設定することができる結果、測定対象の良否を正確に判定することができる。
【００１１】
また、請求項２記載の処理装置、および請求項３記載の測定装置によれば、処理部が、矩形の領域の周囲に枠状の領域を加えた領域を判定領域として設定することにより、測定対象の特性に合わせて枠状の領域の大きさを適切に調整することで、２つのパラメータを測定する際の測定誤差を枠状の領域によって吸収することができるため、測定対象の良否をより正確に判定することができる。
【図面の簡単な説明】
【００１２】
【図１】測定装置１の構成を示す構成図である。
【図２】判定領域設定処理５０のフローチャートである。
【図３】判定領域設定処理５０を説明する第１の説明図である。
【図４】判定領域設定処理５０を説明する第２の説明図である。
【図５】判定領域設定処理５０を説明する第３の説明図である。
【図６】判定領域設定処理５０を説明する第４の説明図である。
【図７】判定領域設定処理５０を説明する第５の説明図である。
【図８】判定処理を説明する第１の説明図である。
【図９】判定処理を説明する第２の説明図である。
【図１０】従来の測定装置を説明する説明図である。
【発明を実施するための形態】
【００１３】
以下、処理装置および測定装置の実施の形態について、添付図面を参照して説明する。
【００１４】
最初に、測定装置の一例としての図１に示す測定装置１の構成について説明する。測定装置１は、同図に示すように、信号生成部１１、測定部１２、操作部１３、記憶部１４、表示部１５および処理部１６を備え、測定対象の一例としてのモータの巻線１００についてのパラメータ（後述するＬＣ，ＲＣ）を測定すると共に、パラメータの測定値に基づいて巻線１００の良否を判定可能に構成されている。この場合、記憶部１４および処理部１６によって処理装置が構成される。
【００１５】
信号生成部１１は、一例として、直流電圧源、スイッチおよびコンデンサ（いずれも図示せず）を備えて構成され、測定部１２の指示に従って測定用のインパルス電圧を生成する。
【００１６】
測定部１２は、信号生成部１１によって生成されたインパルス電圧が巻線１００に印加されたときに巻線１００の両端部に生じる電圧信号を検出すると共に、その電圧信号に基づいて２つのパラメータを測定（算出）する測定処理を実行する。具体的には、測定部１２は、予め決められた時間間隔の各時点における電圧信号の電圧値を特定する。また、測定部１２は、巻線１００と巻線１００に接続された信号生成部１１の上記コンデンサとによって構成される回路をＲＬＣ直列回路と見なしたときの等価回路におけるレジスタンスをＲ、インダクタンスをＬ、キャパシタンスをＣとして、ＬＣ（ＬとＣとの乗算値：パラメータの１つに相当する）およびＲＣ（ＲとＣとの乗算値：パラメータの他の１つに相当する）の値を、各電圧値から算出する。この場合、測定部１２は、一例として、擬似逆行列を用いた式からＬＣ，ＲＣの値を算出する。
【００１７】
操作部１３は、各種のボタンやキーを備え、処理部１６に対する各種の処理の実行を指示する操作が可能に構成されている。
【００１８】
記憶部１４は、測定部１２によって測定されたＬＣ，ＲＣの測定値を記憶する。また、記憶部１４は、処理部１６によって実行される後述する判定領域設定処理５０（図２参照）において特定される後述する直線Ａ、直線距離Ｌ１，Ｌ２、傾斜角度θ、重心Ｃおよび判定領域Ｆｊを示すデータを記憶する。
【００１９】
表示部１５は、処理部１６の制御に従い、測定部１２によって実行される判定処理の結果や、図８に示す画像Ｇ１を表示する。この場合、画像Ｇ１では、ＬＣ，ＲＣ（２つのパラメータ）の一方（例えばＬＣ）を横軸（以下「Ｘ軸」ともいう）とすると共に他方（例えばＲＣ）を縦軸（以下「Ｙ軸」ともいう）とする平面（以下「ＸＹ平面」ともいう）上に、ＬＣ，ＲＣの測定値によって特定されるポイントＰをプロットすると共に、判定領域ＦｊがＸＹ平面上に図示されている。
【００２０】
処理部１６は、操作部１３から出力される操作信号に従って測定装置１を構成する各構成要素を制御する。また、処理部１６は、図２に示す判定領域設定処理５０を実行して、測定対象の巻線１００の良否を判定する際に用いる判定領域Ｆｊを設定する。また、処理部１６は、判定部として機能し、測定部１２によって測定された測定対象の巻線１００についてのＬＣ，ＲＣ（２つのパラメータ）の測定値によって特定されるポイントＰが判定領域Ｆｊ内に属しているか否かによって巻線１００の良否を判定する判定処理を実行する。
【００２１】
次に、測定装置１を用いて測定対象としてのモータの巻線１００についてのＬＣ，ＲＣ（パラメータ）を測定し、その測定値に基づいて巻線１００の良否を判定する方法について図面を参照して説明する。
【００２２】
測定対象の巻線１００の良否を判定するのに先立ち、測定装置１を用いて判定領域Ｆｊを設定する。この判定領域Ｆｊの設定では、まず、測定対象の巻線１００と同種の巻線１００であって、良品であることが知れている巻線１００（以下「サンプル巻線１００」ともいう）が組み込まれたモータを用意し、測定装置１を用いて、サンプル巻線１００についてのＬＣ，ＲＣを測定する。具体的には、サンプル巻線１００の両端に信号生成部１１の出力端子（図示せず）を接続し、次いで、操作部１３を操作して測定の開始を指示する。この際に、処理部１６が、操作部１３から出力された操作信号に従い、測定部１２を制御して測定処理を実行させる。
【００２３】
この測定処理では、測定部１２は、信号生成部１１にインパルス電圧を生成させる。この際に、生成されたインパルス電圧がサンプル巻線１００に印加される。また、測定部１２は、インパルス電圧の印加によってサンプル巻線１００の両端部に生じる電圧信号を検出する。次いで、測定部１２は、予め決められた時間間隔の各時点における電圧信号の電圧値を特定する。続いて、測定部１２は、サンプル巻線１００とサンプル巻線１００に接続された信号生成部１１の上記したコンデンサとによって構成されるＲＬＣ等価回路におけるＬＣ，ＲＣの値を擬似逆行列を用いた式から算出する。次いで、処理部１６が測定部１２によって算出されたＬＣ，ＲＣの値（測定値）を記憶部１４に記憶させる。
【００２４】
続いて、モータの回転子を任意の回動量（角度）だけ回動させ、次いで、上記した手順でＬＣ，ＲＣを測定して測定値を記憶部１４に記憶させる。以下、回転子の回動量を変えつつ、ＬＣ，ＲＣの測定を複数回行い（測定処理を複数回実行し）、各測定値を記憶部１４に記憶させる。以上により、サンプル巻線１００についてのＬＣ，ＲＣの測定が終了する。
【００２５】
続いて、操作部１３を操作して判定領域設定処理５０の実行を指示し、処理部１６が、操作信号に従って図２に示す判定領域設定処理５０を実行する。この判定領域設定処理５０では、処理部１６は、各測定処理によって測定されたＬＣ，ＲＣの測定値を記憶部１４から読み出す（ステップ５１）。
【００２６】
次いで、処理部１６は、図３に示すように、ＬＣをＸ軸としＲＣをＹ軸とするＸＹ平面上に、ＬＣ，ＲＣの測定値によって特定される（ＬＣの測定値をＸ座標とし、ＲＣの測定値をＹ座標とする）ポイントＰをプロットする（ステップ５２）。なお、ステップ５２から後述するステップ６０において説明する処理部１６による「ポイントＰのプロット」、「直線Ａの描画」、「領域Ｆ１，Ｆ２および判定領域Ｆｊの描画」および「ポイントＰが判定領域Ｆｊ内に属しているか否かの判別」等の処理は、処理部１６が仮想的に行う処理であり、図３から図９に示す画像は、処理部１６が仮想的に行う処理を概念的に図示している。
【００２７】
ここで、上記したように、各測定処理においてモータの回転子の回動量を異ならせたことにより、回動量に応じてＲＬＣ等価回路特性が変化し、ＬＣ，ＲＣの測定値が回転子の回動量毎に異なることとなる。また、このように回動量を異ならせて複数回行った測定処理において測定したＬＣ，ＲＣによってそれぞれ特定される各ポイントＰをＸＹ平面上にプロットしたときには、図３に示すように、各ポイントＰがＸ軸に対して傾斜する直線Ｏ）に沿って分布する（つまり、ＬＣ，ＲＣの変化が線形関係にある）ことが知られている。
【００２８】
続いて、処理部１６は、図４に示すように、各ポイントＰをそれぞれ質量が互いに等しい質点としたときの各質点で構成される質点系の重心Ｃを特定する（ステップ５３）。次いで、処理部１６は、同図に示すように、各ポイントＰのうちの重心から最も遠いポイントＰ（第１のポイントに相当し、以下「ポイントＰ１」ともいう）を特定する（ステップ５４）。続いて、処理部１６は、同図に示すように、重心ＣとポイントＰ１との間の直線距離（第１の直線距離に相当し、以下「直線距離Ｌ１」ともいう）を特定する（ステップ５５）。
【００２９】
次いで、処理部１６は、図５に示すように、重心ＣとポイントＰ１とを通る直線（第１直線に相当し、以下「直線Ａ」ともいう）を特定（具体的には、Ｘ軸に対する直線Ａの傾斜角度θを特定）する（ステップ５６）。続いて、処理部１６は、図６に示すように、各ポイントＰのうちの直線Ａに直交する直交方向（同図に示す矢印Ｂの方向）に沿って直線Ａから最も遠いポイントＰ（第２のポイントに相当し、以下「ポイントＰ２」ともいう）を特定する（ステップ５７）。次いで、処理部１６は、同図に示すように、ポイントＰ２と直線Ａとの間の直線距離（第２の直線距離に相当し、以下「直線距離Ｌ２」ともいう）を特定する（ステップ５８）。
【００３０】
続いて、処理部１６は、図７に示すように、直線Ａに平行で直線距離Ｌ１の２倍の長さの２つの辺（第１辺に相当し、以下「辺Ｓ１」ともいう）と、各辺Ｓ１に対して直角をなして直線距離Ｌ２の２倍の長さの２つの辺（第２辺に相当し、以下「辺Ｓ２」ともいう）とで構成されて重心Ｃを図心とするＸＹ平面上の矩形（長方形や正方形）の領域Ｆ１を特定する（ステップ５９）。次いで、処理部１６は、同図に示すように、領域Ｆ１の周囲に枠状の領域Ｆ２を加えた領域を判定領域Ｆｊとして設定して（ステップ６０）、判定領域設定処理５０を終了する。この場合、領域Ｆ２は、測定誤差等を考慮して領域Ｆ１を拡げる（判定領域Ｆｊに余裕を持たせる）ための領域であって、一例として、辺Ｓ１に沿った方向の幅が辺Ｓ１の長さの５％程度の幅で、辺Ｓ２に沿った方向の幅が辺Ｓ２の長さの５％程度の幅に規定されている。以上により、判定領域Ｆｊの設定が終了する。
【００３１】
次に、測定対象の巻線１００についてのＬＣ，ＲＣを測定する。具体的には、上記した手順と同様にして、測定対象の巻線１００が組み込まれたモータにおける巻線１００の両端に信号生成部１１の出力端子を接続し、続いて、操作部１３を操作して測定の開始を指示する。次いで、測定部１２が処理部１６の制御に従って上記した測定処理を実行してＬＣ，ＲＣの値を算出し、処理部１６がＬＣ，ＲＣの測定値を記憶部１４に記憶させる。以上により、測定対象の巻線１００についてのＬＣ，ＲＣの測定が終了する。なお、モータの回転子の回動量を変えつつ、測定処理を複数回実行し、各測定値を記憶部１４に記憶させてもよい。
【００３２】
次いで、操作部１３を操作して判定処理の実行を指示し、処理部１６が、操作信号に従って判定処理を実行する。この判定処理では、処理部１６は、ＬＣ，ＲＣの測定値を記憶部１４から読み出し、続いて、図８に示すように、ＬＣ，ＲＣの測定値によって特定されるポイントＰをＸＹ平面上にプロットする。また、処理部１６は、ＸＹ平面に判定領域Ｆｊを描画すると共にポイントＰをプロットした状態を示す画像Ｇ１（同図参照）を表示部１５に表示させる。
【００３３】
次いで、処理部１６は、ポイントＰが判定領域Ｆｊ内に属しているか否かを判別し、その結果に基づいて測定対象の巻線１００の良否を判定する。この場合、図８に示すように、ポイントＰが判定領域Ｆｊ内に属していると判別したときには、測定対象の巻線１００を良品と判定する。一方、図９に示すように、ポイントＰが判定領域Ｆｊ内に属していないと判別したときには、測定対象の巻線１００を不良と判定する。続いて、処理部１６は、判定結果を表示部１５に表示させて判定処理を終了する。なお、モータの回転子の回動量を変えつつ、測定処理を複数回実行したときには、各測定処理において測定したＬＣ，ＲＣの測定値によって特定される複数のポイントＰの全てが判定領域Ｆｊ内に属していると判別したときに測定対象の巻線１００を良品と判定し、各ポイントＰの全てまたは一部が判定領域Ｆｊ内に属していないと判別したときに測定対象の巻線１００を不良と判定することもできる。
【００３４】
このように、この処理装置および測定装置１では、処理部１６が、複数回の測定処理で得られたＬＣ，ＲＣの測定値によって特定される各ポイントＰをＸＹ平面上にプロットした各ポイントＰの重心Ｃを求め、重心Ｃから最も遠いポイントＰ１と重心Ｃとの間の直線距離Ｌ１および重心ＣとポイントＰ１とを通る直線Ａを求め、直線Ａに直交する方向に沿って直線Ａから最も遠いポイントＰ２と直線Ａとの間の直線距離Ｌ２を求め、直線Ａに平行で直線距離Ｌ１の２倍の長さの２つの辺Ｓ１と各辺Ｓ１に対して直角をなして直線距離Ｌ２の２倍の長さの２つの辺Ｓ２とで構成されて重心Ｃを図心とする矩形（長方形または正方形）の領域を判定領域Ｆｊとして設定する。つまり、この処理装置および測定装置１では、ＬＣ，ＲＣの変化が線形関係にある場合におけるその線（直線Ｏ）に沿った（直線Ｏと同様の傾斜角度で傾斜した）矩形の判定領域Ｆｊを、ＬＣ，ＲＣの測定値に基づいて処理部１６が自動的に設定する。したがって、この処理装置および測定装置１によれば、Ｘ軸およびＹ軸に対して傾斜していない矩形の領域を判定領域として設定する従来の構成とは異なり、直線Ｏから大きく離間している部分が判定領域に含まれたり、直線Ｏに近接しているポイントが判定領域内に属さなかったりするような不都合が解消されて、的確（適正）な判定領域Ｆｊを設定することができる結果、測定対象の良否を正確に判定することができる。
【００３５】
また、この処理装置および測定装置１によれば、処理部１６が、矩形の領域Ｆ１の周囲に枠状の領域Ｆ２を加えた領域を判定領域Ｆｊとして設定することにより、測定対象の特性に合わせて領域Ｆ２の大きさを適切に調整することで、ＬＣ，ＲＣを測定する際の測定誤差を領域Ｆ２によって吸収することができるため、測定対象の良否をより正確に判定することができる。
【００３６】
なお、処理装置および測定装置は、上記の構成に限定されない。例えば、ＬＣを横軸（Ｘ軸）としＲＣを縦軸（Ｙ）とする例について上記したが、ＲＣを横軸（Ｘ軸）としＬＣを縦軸（Ｙ）とする構成を採用することもできる。また、領域Ｆ１の周囲に枠状の領域Ｆ２を加えた領域を判定領域Ｆｊとして設定する例について上記したが、領域Ｆ１を判定領域Ｆｊとして設定する構成を採用することもできる。
【００３７】
また、２つのパラメータとしてＬＣ，ＲＣを測定し、ＬＣ，ＲＣについての判定領域Ｆｊを設定する例について上記したが、２つのパラメータは、ＬＣ，ＲＣに限定されず、２つのパラメータを横軸および縦軸とする平面上において一方のパラメータの変化に伴う他方のパラメータの変化が直線的に表される線形関係にある各種のパラメータについての判定領域Ｆｊを設定する際に適用することができる。一例として、モータに供給する電力の値およびモータの出力（仕事）のように、一方のパラメータの値が増加するとそれに比例して他方のパラメータの値が線形的に増加するような２つのパラメータについての判定領域Ｆｊを設定する際に適用することができる。
【符号の説明】
【００３８】
１  測定装置
１２  測定部
１４  記憶部
１６  処理部
１００  巻線
Ａ  直線
Ｃ  重心
Ｆ１，Ｆ２  領域
Ｆｊ  判定領域
Ｌ１，Ｌ２  直線距離
Ｏ  直線
Ｐ，Ｐ１，Ｐ２  ポイント
Ｓ１，Ｓ２  辺
【図１】
2018021839.tif 000003
【図２】
2018021839.tif 000004
【図３】
2018021839.tif 000005
【図４】
2018021839.tif 000006
【図５】
2018021839.tif 000007
【図６】
2018021839.tif 000008
【図７】
2018021839.tif 000009
【図８】
2018021839.tif 000010
【図９】
2018021839.tif 000011
【図１０】
2018021839.tif 000012